(57)【要約】      （修正有）【課題】片足立ちすることなく、靴を脱ぐことなく、ズボンの中に靴を貫通させることなく、簡単に脱着可能な下半身雨カバを提供することにある。【解決手段】防水シート３からなる下半身雨カバ１とし、身体の太ももから足首までの範囲に巻いて取り付け、紐５、６とホック４ａ、４ｂを使って留める。また、防水シート及び襠部からなる下半身雨カバとし、防水シートの全部の幅を有する股上部によって身体の腰部と臀部の範囲を巻いて取り付け、さらに、防水シートの半分の幅を有する左股下部及び右股下部並びに襠部によって、股下から足首までの範囲を片足ずつ巻いて取り付け、紐とホックを使って留める。【選択図】図１
0003164207.tif 000002
【実用新案登録請求の範囲】
【請求項１】
上辺、下辺、左辺及び右辺の４辺を有する防水シートと、紐状物とからなる下半身雨カバであって、前記上辺に沿って上辺ループを設けこれに前記紐状物を通し、さらに前記左辺の部分と前記右辺の部分とを留めるための、留め具を取り付けたことを特徴とする下半身雨カバ。
【請求項２】
請求項１に記載した下半身雨カバであって、前記下半身雨カバによって身体の太ももから足首までの間を覆うことができるものとし、さらに身体の脚部に取り付けたときに膝の少し上に位置する部分に膝上ループを設け、これに紐状物を通したことを特徴とする下半身雨カバ。
【請求項３】
請求項１又は請求項２のいずれかに記載した下半身雨カバを、２枚組合せたことを特徴とする下半身雨カバのセット。
【請求項４】
上辺、下辺、左辺及び右辺の４辺を有する防水シートと、紐状物とからなる下半身雨カバであって、前記上辺に沿って上辺ループを設けこれに前記紐状物を通し、
前記防水シートの下辺中央から切込端まで切込みを設けることにより、前記下辺を左下辺と右下辺に分割し、前記左下辺と前記切込みとの交点から、前記切込端を経て、前記右下辺と前記切込みとの交点までの範囲に、前記切込みに沿って襠部を設け、
前記防水シートにおいて、前記切込端より上の部分であって身体の腰部と臀部を覆う部分を股上部とし、前記股上部の下の部分であって左側の部分を左股下部とし、前記股上部の下の部分であって右側の部分を右股下部とし、
前記股上部において、前記左辺の部分と前記右辺の部分とを留めるための留め具を取り付け、また前記左股下部における前記左辺の部分と前記襠部の左側の部分とを留めるための留め具を取り付け、さらに、前記右股下部における前記右辺の部分と前記襠部の右側の部分とを留めるための留め具を取り付けたことを特徴とする下半身雨カバ。
【考案の詳細な説明】
【技術分野】
【０００１】
本考案は、ズボンを覆うようにして身体に取り付け、雨が降っているときに外出しても、ズボンや下半身が濡れないようにカバーする、下半身雨カバに関するものである。
【背景技術】
【０００２】
従来は、ズボンタイプの雨合羽を使用していた。しかし、ズボンタイプの雨合羽を穿くときには、片足立ちしなければならずふらついて危険であった。特に、駐輪場の濡れた床など足元が滑りやすい場所や、電車の中のように揺れる場所や、階段の途中などの不安定な場所で片足立ちすることは危険であった。
さらに、靴を脱がないでズボンタイプの雨合羽を穿くことは困難であり、靴を履いたまま無理してズボンタイプの雨合羽を穿いた場合は、ズボンの中に靴を貫通させる必用があるため、濡れた靴や汚れた靴によって雨合羽の内側が濡れたり汚れたりしてしまい、着ている衣服のズボンが濡れたり汚れたりする問題があった。また、穿くときに雨合羽の裾が床に触れてしまい、雨合羽の裾の外側が濡れたり汚れたりする問題があった。  
また、電車の中、駅の中、訪問先の玄関やロビーなどでは人目が気になるため、人前で靴を脱いだり、不安定な状態でズボンタイプの雨合羽を脱着することをあきらめ、雨が降っているのに雨合羽を着用しなかったり、雨がやんだのに雨合羽を着けたまま行動しなければならなかった。
【０００３】
また、円筒状の防水カバーの上部の足挿入部を開閉可能に構成した、ズボンの防水カバーの発明があった（例えば、特許文献１参照。）。また、円筒状のビニール素材の複数箇所にゴムを取り付けた、足元用ゴム式カッパの発明もあった（例えば、特許文献２参照。）。しかし、これらの発明はいずれも片足立ちして穿く必用があり、さらに履いている靴を脱いで穿かない限り、防水カバーやカッパの中に履いている靴を貫通させる必用がある。
このため、これらの発明は、上記と同様に、穿くときにふらついて危険である問題や、靴を脱がないで穿くことが困難となる問題や、靴を履いたまま穿いた場合には、着ている衣服のズボンが濡れたり汚れたりする問題や、防水カバーやゴム式カッパが床に触れてしまい、裾の外側が濡れたり汚れたりする問題を解決することはできていなかった。
さらに、人前で靴を脱いだり、片足立ちして不安定な状態で穿くことは見栄えが悪く、人目を気にして脱着することをあきらめる問題も解決することはできていなかった。
【先行技術文献】
【特許文献】
【０００４】
【特許文献１】特開平７−３１０２０７号公報
【特許文献２】特開２００８−１６９５３０号公報
【考案の概要】
【考案が解決しようとする課題】
【０００５】
片足立ちすることなく、履いている靴を脱ぐことなく、ズボン等の中に履いている靴を貫通させることなく、簡単に脱着可能な下半身雨カバを提供することにある。
【課題を解決するための手段】
【０００６】
防水シートの雨カバとし、身体の太ももから足首までの範囲に巻いて取り付け、紐と留め具を使って留める。
また、防水シートの雨カバとし、防水シートの全部の幅を使用して身体の腰部と臀部の範囲を巻いて取り付け、さらに、防水シートの半分の幅に襠部を加えたものによって、股下から足首までの範囲を巻いて取り付け、紐と留め具を使って留める。
【考案の効果】
【０００７】
防水シートを身体に巻いて取り付ける構成にしたため、片足立ちする必要がなくなり、脱着時にふらついて危険となる問題がなくなった。
また、ズボンの中に靴を貫通させる必用がなくなり、靴に付着した水や汚れによって着ている衣服のズボンが濡れたり汚れたりする問題や、穿くときに雨合羽の裾などが床に触れてしまい、外側が濡れたり汚れたりする問題がなくなった。
さらに、履いている靴を脱ぐ必要が無く、防水シートを身体に巻いて取り付ける作業は簡単に短時間で行うことができるため、人前で脱着することに抵抗感が無く、人目を気にして脱着することをあきらめる問題がなくなった。
【図面の簡単な説明】
【０００８】
【図１】下半身雨カバを広げた状態の正面図である。
【図２】下半身雨カバを身体に取り付けた状態の斜視図である。
【図３】下半身雨カバを広げた状態の正面図である。
【図４】下半身雨カバを使用する状態の斜視図である。
【考案を実施するための形態】
【０００９】
上辺、下辺、左辺及び右辺の４辺を有する防水シートと、紐状物とからなる下半身雨カバであって、上辺に沿って上辺ループを設けこれに紐状物を通し、さらに左辺の部分と右辺の部分を留めるための、留め具を取り付けた下半身雨カバとする。
本考案にかかる下半身雨カバは、身体の片方の脚部を覆う防水カバーであって、ズボンなどの衣服に重ねて取り付けることにより、衣服と脚部が濡れないようカバーするものである。本考案にかかる下半身雨カバを２枚使用することにより、両足ともカバーすることができる。
本考案は、上辺に取り付けた紐状物によって、身体の太ももに防水シートの上部を縛り付け、防水シートが脚部の長手方向に位置ずれすることを防止したものである。
防水シートとしてはビニール素材、ゴム素材、布に防水加工を施した素材など好ましく、特に素材についてこだわるものではない。
上辺ループは、紐状物を上辺に対して位置ずれすることがないよう拘束するためのものである。上辺に沿って連続的にループを設ける構成でもよいし、上辺に沿って飛び飛びにループを設ける構成でも構わない。
紐状物にはひも、ゴムひも、革ひも、ロープ、縄、ベルトなどの素材が好ましく、結び目を作って縛り付けることが可能であれば素材についてこだわるものではない。
留め具としてはホック、ボタンとボタン用ループの組合せ、ファスナ、面ファスナなど好ましく、シートの部分を他の部分に留めることが可能であれば、留め具の構成についてこだわるものではない。
【００１０】
上記した下半身雨カバであって、下半身雨カバによって身体の太ももから足首までの間を覆うことができるものとし、さらに身体の脚部に取り付けたときに膝の少し上に位置する部分に膝上ループを設け、これに紐状物を通した下半身雨カバとする。
本考案は、膝の少し上に取り付けた紐状物によって、膝の少し上の位置において防水シートを縛り付け、防水シートが脚部の長手方向に位置ずれすることを、さらに確実に防止したものである。
紐状物は上記と同様であり、結び目を作って縛り付けることが可能であれば素材についてこだわるものではない。膝上ループも上記と同様、紐状物を防水シートの膝の少し上に該当する位置にずれることなく拘束するためのものである。連続的にループを設ける構成でもよいし、飛び飛びにループを設ける構成でも構わない。
上記したいずれかの下半身雨カバを２枚組合せた下半身雨カバのセットとする。本考案は、左右両足用の下半身雨カバをセットにしたものである。このとき、２枚とも同じ下半身雨カバを使用することも、左足用の下半身雨カバと右足用の下半身雨カバとを、互いに左右対称に構成した下半身カバのセットとすることも好ましく、いずれでも構わない。
【００１１】
上辺、下辺、左辺及び右辺の４辺を有する防水シートと、紐状物とからなる下半身雨カバであって、上辺に沿って上辺ループを設けこれに前記紐状物を通す。
また、防水シートの下辺中央から切込端まで切込みを設けることにより、下辺を左下辺と右下辺に分割し、左下辺と切込みとの交点から、切込端を経て、右下辺と切込みとの交点までの範囲に、切込みに沿って襠部を設ける。
また、防水シートにおいて、切込端より上の部分であって身体の腰部と臀部を覆う部分を股上部とし、股上部の下の部分であって左側の部分を左股下部とし、股上部の下の部分であって右側の部分を右股下部とする。
そして、股上部において、左辺の部分と右辺の部分とを留めるための留め具を取り付け、また左股下部における左辺の部分と襠部の左側の部分とを留めるための留め具を取り付け、さらに、右股下部における右辺の部分と襠部の右側の部分とを留めるための留め具を取り付けた下半身雨カバとする。
本考案にかかる下半身雨カバは、身体の腰部、臀部及び両方の脚部を覆う防水カバーであって、ズボンなどの衣服に重ねて取り付けることにより、衣服、腰部、尻部及び脚部が濡れないようカバーするものである。
本発明は、上辺に取り付けた紐状物によって、身体の腰部に防水シートの上部を縛り付け、防水シートが身長方向に位置ずれすることを防止したものである。
防水シートの素材、上辺ループの構成、紐状物の素材及び留め具の構成については、上記と同様である。
【実施例１】
【００１２】
以下、本考案の実施例を図１、図２に示し説明する。実施例１にかかる下半身雨カバ１は、ビニールを素材とした防水シート３と、ひも５、ひも６及び複数のホック（４ａ＋４ｂ）などからなっている。
防水シート３は上辺３ｃ、下辺３ｆ、左辺３ｄ及び右辺３ｅを有する概略四辺形を有している。図１は下半身雨カバ１を身体に取り付けたときに、内側に当たる面を正面にし、外側に当たる面を背面に図示したものである。
上辺３ｃ付近の背面に、上辺３ｃに沿って上辺ループ３ａを設けてひも５を取り付けた。また、身体に取り付けたときに膝の少し上に当たる位置の背面に膝上ループ３ｂを設けてひも６を取り付けた。そして、左辺３ｄ付近の正面にホックのオス４ｂを、右辺３ｅ付近の背面にホックのメス４ａをそれぞれ取り付けた。
下半身雨カバ１を身体に取り付けるときは、正面を内側にして衣服に重ね、太もも１０から脛１１を経て足首までを覆うようにして、片方の脚部に巻き付ける。そして右辺３ｅ付近を下にして左辺３ｄ付近を上にして重ね、ホックのメス４ａにホックのオス４ｂをはめ込んで留める。
そして、ひも５により太もも１０の上部を巻いた状態で結び目５ａを作り縛り付け、さらに、ひも６により膝の少し上に当たる位置を巻いた状態で結び目６ａを作り縛り付ける。ひも５、６によって防水シート３を身体に縛り付けることにより、防水シート３が脚部の長手方向に位置ずれすることを防止したものである。
下半身雨カバ１は片方の脚部を覆う防水カバーであるため、両足をカバーするためには２枚の下半身雨カバ１をセットとして使用する。このとき、２枚とも同じ下半身雨カバ１のセットを使用することも可能であるし、右足用と左足用の下半身カバを互いに左右対称に構成した、２枚の下半身カバのセットを使用することも可能である。
下半身雨カバ１は、防水シート３を脚部に巻き付けるだけで身体に取り付ける構成であるため、片足立ちをすることなく、履いている靴１２を脱ぐことなく、靴１２を貫通させることなく、簡単に脱着することが可能である。
【実施例２】
【００１３】
続いて、本考案の他の実施例を図３、図４に示し説明する。実施例２にかかる下半身雨カバ２は、ビニールを素材とした防水シート７及び襠部７ｎ、ひも８並びに複数のホック（９ａ＋９ｂ）、（９ｃ＋９ｄ）などからなっている。
防水シート７は上辺７ｆ、下辺（７ｊ＋７ｋ）、左辺７ｇ及び右辺７ｈを有する概略四辺形を有している。図３は、身体に取り付けたときに内側に当たる防水シート７の面を正面にし、身体に取り付けたときに外側に当たる襠部７ｎの面を正面にして、図示したものである。
下辺の中央から切込端７ｍまで垂直に切込み７ｅを設け、下辺を左下辺７ｊと右下辺７ｋに分割し、防水シート７のうちの切込端７ｍより上の部分であって、身体の腰部と臀部を覆う部分を股上部７ａとし、股上部７ａの下の部分であって左側の部分を左股下部７ｃとし、股上部７ａより下の部分であって右側の部分を右股下部７ｂとした。
そして、左下辺７ｊと切込み７ｅとの交点から、切込端７ｍを経て、右下辺７ｋと切込み７ｅとの交点までの範囲に、切込み７ｅに沿って襠部７ｎを設け、襠部７ｎの外周付近に複数の下ホックのメス９ｃを取り付けた。このとき、切込端７ｍにおいてＵターンする部分の上側外周付近に２個の下ホックのメス９ｆ、９ｈが位置するようにした。
また、上辺７ｆ付近の背面に、上辺７ｆに沿って上辺ループ７ｄを設けてひも８を取り付けた。さらに股上部７ａにおいて、左辺７ｇ付近の正面に複数の上ホックのオス９ｂを、右辺７ｈ付近の背面に複数の上ホックのメス９ａを取り付けた。また左股下部７ｃの左辺７ｇ付近の正面、及び、右股下部の右辺７ｈ付近の正面に、それぞれ複数の下ホックのオス９ｄを取り付けた。
【００１４】
下半身雨カバ２を身体に取り付けるときは、防水シート７の正面及び襠部７ｎの背面を内側にして衣服に重ね、防水シート７の全部の幅を有する股上部７ａによって腰部と臀部の範囲を巻き付け、さらに、防水シート７の半分の幅を有する左股下部７ｃ及び右股下部７ｂ並びに襠部７ｎによって、股下から足首までの範囲を片足ずつ巻き付ける。
そして股上部７ａの右辺７ｈ付近を下にして左辺７ｇ付近を上にして重ね、上ホックのメス９ａに上ホックのオス９ｂをはめ込んで留める。また襠部７ｎを下にして、左股下部７ｃの左辺７ｇ付近及び右股下部７ｂの右辺７ｈ付近をそれぞれ上にして重ね、左辺７ｇ付近に取り付けた下ホックのオス９ｄを、襠部７ｎの左側に取り付けた下ホックのメス９ｃにはめ込み、さらに、右辺７ｈ付近に取り付けた下ホックのオス９ｄを、襠部７ｎの右側に取り付けた下ホックのメス９ｃにはめ込んで留めた。
このとき、左辺７ｇ付近に取り付けた下ホックのオス９ｄの中の、最上端の下ホックのオス９ｅを襠部７ｎの左側の最上端に取り付けた下ホックのメス９ｆにはめ込み、右辺７ｈ付近に取り付けた下ホックのオス９ｄの中の、最上端の下ホックのオス９ｇを襠部７ｎの右側の最上端に取り付けた下ホックのメス９ｈにはめ込む。
さらに、ひも８により腰をまいた状態で結び目８ａを作り縛り付ける。ひも８によって、身体の腰に防水シート７の上部を縛り付けることにより、防水シート７が身長方向に位置ずれすることを防止するためである。
下半身雨カバ２は、身体の腰部と両方の脚部を覆う防水カバーであるので、ズボンなどの衣服に重ねて取り付けることにより、衣服、腰部、尻部及び脚部が濡れないようカバーすることができる。
下半身雨カバ２は、防水シート７を巻き付けるだけで身体に取り付ける構成であるため、片足立ちすることなく、はいている靴を貫通させることなく、簡単に脱着することが可能である。また腰部や臀部をカバーするため、雨の日に濡れたベンチに腰掛けたり、自転車の濡れたサドルに乗ったりしても腰部や臀部が濡れることもない。
【産業上の利用可能性】
【００１５】
本発明は、レインコートや雨合羽などを製造販売する産業で利用されるだけでなく、ゴミの収集や交通整理など屋外で作業を行うサービス産業などでも利用可能である。
【符号の説明】
【００１６】
１  ：下半身雨カバ          ２  ：下半身雨カバ          ３  ：防水シート
３ａ：上辺ループ            ３ｂ：膝上ループ            ３ｃ：上辺
３ｄ：左辺                  ３ｅ：右辺                  ３ｆ：下辺
４ａ：ホックのメス          ４ｂ：ホックのオス          ５  ：ひも
５ａ：結び目                ６  ：ひも                  ６ａ：結び目
７  ：防水シート            ７ａ：股上部                ７ｂ：右股下部
７ｃ：左股下部              ７ｄ：上辺ループ            ７ｅ：切込み
７ｆ：上辺                  ７ｇ：左辺                  ７ｈ：右辺
７ｊ：左下辺                ７ｋ：右下辺                ７ｍ：切込端
７ｎ：襠部                  ８  ：ひも                  ８ａ：結び目
９ａ：上ホックのメス        ９ｂ：上ホックのオス        ９ｃ：下ホックのメス
９ｄ：下ホックのオス        ９ｅ：下ホックのオス        ９ｆ：下ホックのメス
９ｇ：下ホックのオス        ９ｈ：下ホックのメス      １０  ：太もも
１１  ：脛                  １２  ：靴
【図１】
0003164207.tif 000003
【図２】
0003164207.tif 000004
【図３】
0003164207.tif 000005
【図４】
0003164207.tif 000006